【手続補正書】
【提出日】平成20年1月23日(2008.1.23)
【手続補正１】
【補正対象書類名】特許請求の範囲
【補正対象項目名】全文
【補正方法】変更
【補正の内容】
【特許請求の範囲】
【請求項１】
動画像を構成するフレームの画像データを順次入力し、符号化する動画像符号化装置であって、
フレーム間の相関を利用した第１の符号化モード、フレーム単独で符号化する第２の符号化モードを適応的に選択するモード選択手段と、
入力したフレームの画像データを複数のブロックに分割する分割手段と、
符号化された画像データをローカルデコードする復号手段と、
前記第１の符号化モードでは、前記分割手段で分割して得られたブロック画像に対して、前記第２の符号化モードで従前に符号化し前記復号手段によりローカルデコードされた画像データから予測データを抽出し、前記分割したブロック画像と前記予測データとを差分したブロックを出力し、前記第２の符号化モードでは前記分割手段で分割したブロックを出力する演算手段と、
前記演算手段で得られたブロックを空間周波数成分データに変換する変換手段と、
変換して得られた各周波数成分の値をビットプレーン単位に符号化し、符号化データを生成する符号化データ生成手段と、
生成された符号化データ中の最下位ビット位置の前記ビットプレーンから所望とするビット位置でのビットプレーンまでの符号化データを切り捨てることで、符号化データ量を調整する調整手段と、
前記調整手段により調整された符号化データを出力する出力手段と
を備えることを特徴とする動画像符号化装置。
【請求項２】
前記復号手段は、前記第２の符号化モードにより符号化された画像データに対してのみローカルデコードすることを特徴とする請求項１に記載の動画像符号化装置。
【請求項３】
前記復号手段は、前記調整手段により調整された符号化データをローカルデコードすることを特徴とする請求項１または２に記載の動画像符号化装置。
【請求項４】
前記モード選択手段は、入力するフレーム数が所定数になった後の最初に入力するフレームについて前記第２の符号化モードを選択することを特徴とする請求項１乃至３のいずれか１項に記載の動画像符号化装置。
【請求項５】
更に、前記調整手段によるビットプレーンの符号化データの切り捨てを行う／行わないを指示する指示手段を備えることを特徴とする請求項１乃至４のいずれか１項に記載の動画像符号化装置。
【請求項６】
前記変換手段は、離散ウェーブレット変換であることを特徴とする請求項１乃至５のいずれか１項に記載の動画像符号化装置。
【請求項７】
動画像を構成するフレームの画像データを順次入力し、符号化する動画像符号化装置の制御方法であって、
フレーム間の相関を利用した第１の符号化モード、フレーム単独で符号化する第２の符号化モードを適応的に選択するモード選択工程と、
入力したフレームの画像データを複数のブロックに分割する分割工程と、
符号化された画像データをローカルデコードする復号工程と、
前記第１の符号化モードでは、前記分割工程で分割して得られたブロック画像に対して、前記第２の符号化モードで従前に符号化し前記復号手段によりローカルデコードされた画像データから予測データを抽出し、前記分割したブロック画像と前記予測データとを差分したブロックを出力し、前記第２の符号化モードでは前記分割工程で分割したブロックを出力する演算工程と、
前記演算工程で得られたブロックを空間周波数成分データに変換する変換工程と、
前記変換して得られた各周波数成分の値をビットプレーン単位に符号化し、符号化データを生成する符号化データ生成工程と、
前記生成された符号化データ中の最下位ビット位置の前記ビットプレーンから所望とするビット位置でのビットプレーンまでの符号化データを切り捨てることで、符号化データ量を調整する調整工程と、
前記調整工程で調整された符号化データを出力する出力工程と
を備えることを特徴とする動画像符号化装置の制御方法。
【請求項８】
コンピュータが読み込み実行することで、動画像を構成するフレームを順次入力し、符号化する動画像符号化装置として機能させるコンピュータプログラムであって、
前記コンピュータに、
フレーム間の相関を利用した第１の符号化モード、フレーム単独で符号化する第２の符号化モードを適応的に選択するモード選択工程と、
入力したフレームの画像データを複数のブロックに分割する分割工程と、
符号化された画像データをローカルデコードする復号工程と、
前記第１の符号化モードでは、前記分割工程で分割して得られたブロック画像に対して、前記第２の符号化モードで従前に符号化し前記復号手段によりローカルデコードされた画像データから予測データを抽出し、前記分割したブロック画像と前記予測データとを差分したブロックを出力し、前記第２の符号化モードでは前記分割工程で分割したブロックを出力する演算工程と、
前記演算工程で得られたブロックを空間周波数成分データに変換する変換工程と、
前記変換して得られた各周波数成分の値をビットプレーン単位に符号化し、符号化データを生成する符号化データ生成工程と、
前記生成された符号化データ中の最下位ビット位置の前記ビットプレーンから所望とするビット位置でのビットプレーンまでの符号化データを切り捨てることで、符号化データ量を調整する調整工程と、
前記調整工程で調整された符号化データを出力する出力工程
として機能させることを特徴とするコンピュータプログラム。
【請求項９】
請求項８に記載のコンピュータプログラムを格納したことを特徴とするコンピュータ可読記憶媒体。
【請求項１０】
動画像を構成するフレームの画像データを順次入力し、符号化する動画像符号化装置であって、
フレーム間の相関を利用した第１の符号化モード、フレーム単独で符号化する第２の符号化モードを適応的に選択するモード選択手段と、
入力したフレームの画像データを複数のブロックに分割する分割手段と、
少なくとも１フレーム分の画像データを記憶する記憶手段と、
前記モード選択手段で前記第１の符号化モードが選択された場合には、前記分割手段で分割して得られたブロック画像に基づき、前記記憶手段に記憶された画像データから予測データを抽出し、抽出した予測データと前記ブロック画像との差分を出力し、前記記モード選択手段で前記第２の符号化モードが選択された場合には、前記分割手段で分割されたブロック画像を出力する演算手段と、
該演算手段より出力されたブロックを空間周波数成分データに変換する変換手段と、
該変換手段で得られた各周波数成分の値をビットプレーン単位に符号化する符号化手段と、
前記モード選択手段によって前記第２の符号化モードを選択した場合、前記符号化手段で生成された符号化データをローカルデコードし、デコードして得られた画像データで前記記憶手段を更新する更新手段と
を備えることを特徴とする動画像符号化装置。
【請求項１１】
前記符号化手段は、
最上位のビットプレーンのビット位置をＮmax、ｎ（０≦ｎ≦Ｎmax）番目のビットプレーンの符号化データをＣ（ｎ）、その符号化データ量をＬ（Ｃ（ｎ））、１フレームの許容符号量を示す閾値をＴとしたとき、
ΣＬ（Ｃ（Ｎmax−ｋ））≦Ｔ
を満たす最大値ｋまでの符号化データＣ（Ｎmax）,Ｃ（Ｎmax−１）、…、Ｃ（Ｎmax−ｋ）を有効な符号化データとして出力し、符号化データＣ（０）、…、Ｃ（Ｎmax−ｋ−１）まで破棄することを特徴とする請求項１１に記載の動画像符号化装置。
【請求項１２】
前記閾値Ｔは、前記第１、第２の符号化モードで異なることを特徴とする請求項１１に記載の動画像符号化装置。
【請求項１３】
少なくとも１フレーム分の画像データを記憶する記憶手段を備え、動画像を構成するフレームの画像データを順次入力し、符号化する動画像符号化装置の制御方法であって、
フレーム間の相関を利用した第１の符号化モード、フレーム単独で符号化する第２の符号化モードを適応的に選択するモード選択工程と、
入力したフレームの画像データを複数のブロックに分割する分割工程と、
前記モード選択工程で前記第１の符号化モードが選択された場合には、前記分割工程で分割して得られたブロック画像に基づき、前記記憶手段に記憶された画像データから予測データを抽出し、抽出した予測データと前記ブロック画像との差分を出力すると共に、前記記モード選択工程で前記第２の符号化モードが選択された場合には、前記分割工程で分割されたブロック画像を出力する演算工程と、
該演算工程より出力されたブロックを空間周波数成分データに変換する変換工程と、
該変換工程で得られた各周波数成分の値をビットプレーン単位に符号化する符号化工程と、
前記モード選択工程によって前記第２の符号化モードを選択した場合、前記符号化工程で生成された符号化データをローカルデコードし、デコードして得られた画像データで前記記憶手段を更新する更新工程と
を備えることを特徴とする動画像符号化装置の制御方法。
【請求項１４】
少なくとも１フレーム分の画像データを記憶する記憶手段を備えるコンピュータが読込み実行することで、動画像を構成するフレームの画像データを順次入力し、符号化する動画像符号化装置として機能させるコンピュータプログラムであって、
前記コンピュータを、
フレーム間の相関を利用した第１の符号化モード、フレーム単独で符号化する第２の符号化モードを適応的に選択するモード選択手段と、
入力したフレームの画像データを複数のブロックに分割する分割手段と、
前記モード選択手段で前記第１の符号化モードが選択された場合には、前記分割手段で分割して得られたブロック画像に基づき、前記記憶手段に記憶された画像データから予測データを抽出し、抽出した予測データと前記ブロック画像との差分を出力すると共に、前記記モード選択手段で前記第２の符号化モードが選択された場合には、前記分割手段で分割されたブロック画像を出力する演算手段と、
該演算手段より出力されたブロックを空間周波数成分データに変換する変換手段と、
該変換手段で得られた各周波数成分の値をビットプレーン単位に符号化する符号化手段と、
前記モード選択手段によって前記第２の符号化モードを選択した場合、前記符号化手段で生成された符号化データをローカルデコードし、デコードして得られた画像データで前記記憶手段を更新する更新手段
として機能させることを特徴とするコンピュータプログラム。
【請求項１５】
請求項１４に記載のコンピュータプログラムを格納したことを特徴とするコピー可読記憶媒体。
【請求項１６】
符号化された動画像データを復号する動画像復号装置であって、
少なくとも１フレーム分の画像データを記憶する記憶手段と、
入力した符号化データに基づき、注目符号化データがフレーム間の相関を利用した第１の符号化モードによる符号化データであるか、フレーム単独で符号化する第２の符号化モードによる符号化データであるのかを判定する判定手段と、
注目符号化データを復号する復号手段と、
前記判定手段で注目符号化データが前記第１の符号化モードによる符号化データであると判定された場合、前記復号手段による復号結果は差分画像データであるものとし、前記記憶手段に記憶された画像データと前記差分画像データとを加算することでフレーム画像を生成すると共に、前記判定手段で注目符号化データが前記第２の符号化モードによる符号化データであると判定された場合には、復号結果をフレーム画像として出力する加算手段と、
前記判定手段で注目符号化データが前記第２の符号化モードによる符号化データであると判定された場合、前記加算手段より出力されたフレーム画像で前記記憶手段を更新する更新手段と
を備えることを特徴とする動画像復号装置。
【請求項１７】
少なくとも１フレーム分の画像データを記憶する記憶手段を有し、符号化された動画像データを復号する動画像復号装置の制御方法であって、
入力した符号化データに基づき、注目符号化データがフレーム間の相関を利用した第１の符号化モードによる符号化データであるか、フレーム単独で符号化する第２の符号化モードによる符号化データであるのかを判定する判定工程と、
注目符号化データの符号化データを復号する復号工程と、
前記判定工程で注目符号化データが前記第１の符号化モードによる符号化データであると判定された場合、前記復号工程による復号結果は差分画像データであるものとし、前記記憶手段に記憶された画像データと前記差分画像データとを加算することでフレーム画像を生成すると共に、前記判定工程で注目符号化データが前記第２の符号化モードによる符号化データであると判定された場合には、復号結果をフレーム画像として出力する加算工程と、
前記判定工程で注目符号化データが前記第２の符号化モードによる符号化データであると判定された場合、前記加算工程より出力されたフレーム画像で前記記憶手段を更新する更新工程と
を備えることを特徴とする動画像復号装置の制御方法。
【請求項１８】
少なくとも１フレーム分の画像データを記憶する記憶手段を有するコンピュータが読込み実行することで、符号化された動画像データを復号する動画像復号装置として機能させるコンピュータプログラムであって、
前記コンピュータを、
入力した符号化データに基づき、注目符号化データがフレーム間の相関を利用した第１の符号化モードによる符号化データであるか、フレーム単独で符号化する第２の符号化モードによる符号化データであるのかを判定する判定手段と、
注目符号化データの符号化データを復号する復号手段と、
前記判定手段で注目符号化データが前記第１の符号化モードによる符号化データであると判定された場合、前記復号手段による復号結果は差分画像データであるものとし、前記記憶手段に記憶された画像データと前記差分画像データとを加算することでフレーム画像を生成すると共に、前記判定手段で注目符号化データが前記第２の符号化モードによる符号化データであると判定された場合には、復号結果をフレーム画像として出力する加算手段と、
前記判定手段で注目符号化データが前記第２の符号化モードによる符号化データであると判定された場合、前記加算手段より出力されたフレーム画像で前記記憶手段を更新する更新手段
として機能させることを特徴とするコンピュータプログラム。
【請求項１９】
請求項１８に記載のコンピュータプログラムを格納したことを特徴とするコンピュータ可読記憶媒体。
【手続補正２】
【補正対象書類名】明細書
【補正対象項目名】００１３
【補正方法】変更
【補正の内容】
【００１３】
この課題を解決するため、例えば本発明の画像符号化装置は以下の構成を備える。すなわち、
動画像を構成するフレームの画像データを順次入力し、符号化する動画像符号化装置であって、
フレーム間の相関を利用した第１の符号化モード、フレーム単独で符号化する第２の符号化モードを適応的に選択するモード選択手段と、
入力したフレームの画像データを複数のブロックに分割する分割手段と、
符号化された画像データをローカルデコードする復号手段と、
前記第１の符号化モードでは、前記分割手段で分割して得られたブロック画像に対して、前記第２の符号化モードで従前に符号化し前記復号手段によりローカルデコードされた画像データから予測データを抽出し、前記分割したブロック画像と前記予測データとを差分したブロックを出力し、前記第２の符号化モードでは前記分割手段で分割したブロックを出力する演算手段と、
前記演算手段で得られたブロックを空間周波数成分データに変換する変換手段と、
変換して得られた各周波数成分の値をビットプレーン単位に符号化し、符号化データを生成する符号化データ生成手段と、
生成された符号化データ中の最下位ビット位置の前記ビットプレーンから所望とするビット位置でのビットプレーンまでの符号化データを切り捨てることで、符号化データ量を調整する調整手段と、
前記調整手段により調整された符号化データを出力する出力手段とを備える。